(57)【要約】      （修正有）【課題】明細書を伝票と一体的にして配送物表面に貼付できるとともに、広告文等の情報欄を有する明細書付き配送伝票を提供する。【解決手段】台紙の上面に、伝票片と、該伝票片に並設した明細書からなる帳票主体を重ね合わせて構成した。貼付票と配達票が囲繞部から切り離し可能に形成され、明細書が裏面に広告欄を有し端部に帯片を備えるとともに明細書と帯片が、台紙と接着した帳票主体の天地部から切り離し可能に形成される。囲繞部の裏側に台紙と剥離可能な粘着剤が塗工され、台紙から帳票主体を剥ぎ取って明細書を伝票片裏側に折り込むと、粘着剤により伝票片と明細書が配送物に貼付される。【選択図】図１
0003152137.tif 000002
【実用新案登録請求の範囲】
【請求項１】
台紙の上面に、平面コ字形囲繞部内に貼付票と配達票を有する伝票片と、該伝票片に並設し伝票片に折り込み可能とした明細書からなる帳票主体を重ね合わせて構成した折り込み明細書付き配送伝票であって、貼付票と配達票が囲繞部から切り離し可能に形成され、明細書が裏面に広告欄を有し端部に帯片を備えるとともに明細書と帯片が、台紙と接着した帳票主体の天地部から切り離し可能に形成され、前記囲繞部の裏側に台紙と剥離可能な粘着剤が塗工され、しかして台紙から帳票主体を剥ぎ取って明細書を伝票片裏側に折り込むと、粘着剤により、伝票片と該伝票片から切り離し可能となる明細書が配送物に貼付されることを特徴とする折り込み明細書付き配送伝票。
【請求項２】
囲繞部と伝票片、及び明細書と帯片がミシン目を介して連接し、明細書と帯片が帳票主体の天地部とスリットを介して連なり、貼付票と明細書がスリットで、また配達票と明細書がミシン目を介して連なることを特徴とする請求項１記載の折り込み明細書付き配送伝票。
【考案の詳細な説明】
【技術分野】
【０００１】  本考案は伝票に取り付けた明細書に広告欄を備えてなる折り込み明細書付き配送伝票に関する。
【背景技術】
【０００２】  通信販売、運搬業、デパートなどの業界では消費者から受けた注文商品を配送する場合に、配送物の箱表面に貼付票・配達受領票からなる配送伝票（例えば特許文献１参照）を貼り付け、納品書や請求書、商品明細などを記した明細書は商品とともに箱内に入れるのが一般的である。しかしながら例えば家電製品やセット単位のペットボトルなどでサイズがある程度以上のものはあらかじめ梱包されていた箱を利用するため商品明細書を封入することができず、その場合は箱の表面に、明細書を入れたビニール製等の封筒を貼り付ける方法が採られている。【０００３】  上記のビニール封筒を利用する方式は、配送伝票とは別に商品明細書と封筒が必要となるため材料費だけでなく封入作業等の労力がかかってコスト高となる不利がある。【０００４】  また箱の表面に、請求書や荷送り人控えなどを重ね合わせて形成した配送伝票（例えば特許文献２参照）を取り付けるものもあるが、このようなものは所定枚数の紙葉が必要となるため全体的な厚みが増えるといった問題と、紙葉を順序よく丁寧に剥がさないと一部が切破したり二枚同時に取り出してしまうといった懸念や、余分なスペースがないため広告宣伝文などの情報を記載することができず無味乾燥となりやすい不具合がある。
【先行技術文献】
【特許文献】
【０００５】
【特許文献１】特開平７−２６６７４６号公報（［図１］）
【特許文献２】特開２００４−２５６００号公報（［図１］）
【考案の概要】
【考案が解決しようとする課題】
【０００６】  本考案は請求書等の明細を、配送物表面の伝票と一体的に形成することで箱内に封入せずに取り付けることができ、ビニール封筒を必要とすることもなく紙材を節して安価に提供でき、しかも広告文等の情報も記載できる簡易な折り込み明細書付き配送伝票を提供することを課題とする。
【課題を解決するための手段】
【０００７】  すなわち本考案は、台紙の上面に、平面コ字形囲繞部内に貼付票と配達票を有する伝票片と、該伝票片に並設し伝票片に折り込み可能とした明細書からなる帳票主体を重ね合わせて構成した折り込み明細書付き配送伝票であって、貼付票と配達票が囲繞部から切り離し可能に形成され、明細書が裏面に広告欄を有し端部に帯片を備えるとともに明細書と帯片が、台紙と固着した帳票主体の天地部から切り離し可能に形成され、前記囲繞部の裏側に台紙と剥離可能な粘着剤が塗工され、しかして台紙から帳票主体を剥ぎ取って明細書を伝票片裏側に折り込むと、粘着剤により、伝票片と該伝票片から切り離し可能となる明細書が配送物に貼付されることを特徴とする折り込み明細書付き配送伝票を主旨とする。【０００８】  囲繞部と伝票片、及び明細書と帯片がミシン目を介して連接し、明細書と帯片が帳票主体の天地部とスリットを介して連なり、貼付票と明細書がスリットで、また配達票と明細書がミシン目を介して連なることを特徴としている。
【考案の効果】
【０００９】  一枚の帳票主体に伝票片と明細書を印刷できるため作業工程がかゝらず、紙材を節することにもなって製品を安価に提供でき、箱内に明細書を封入する必要がないため配送物の明細を箱開封前に確認できる。【００１０】  配送物に帳票主体を貼付すると、伝票片の裏側に折り込んた明細書が位置し、伝票片を囲繞片より剥ぎ取ると明細書裏面の広告欄が現われるため送り側の宣伝広告などの情報を受取人に知らしめることができる。【００１１】  伝票片と明細書の両方を配送物の箱表面から簡単に引き剥がすことができ、箱表面には伝票片の囲繞部と明細書側の天地部だけが残って受取人の住所氏名その他の個人情報は残らないため不用となった箱を安心して処分したり再使用することができる。【００１２】  箱表面に封筒式に取り付けた従来の伝票と異なり、粘着剤によって貼付された伝票と明細書はカッターなどの器具を使わすにその場で容易に剥ぎ取ることができて取り扱いやすく、また厚みも頗る薄くなるため商品を重ね合わせても引っ掛かるようなことがなく、運送時に伝票が脱落するといったおそれがない。
【図面の簡単な説明】
【００１３】
【図１】本案配送伝票の概略説明図である。
【図２】帳票主体を台紙から剥がした説明図である。
【図３】帳票主体を配送物の表面に貼付した説明図である。
【図４】伝票片を剥がして明細書を取り出した配送物の説明図である。
【考案を実施するための形態】
【００１４】  図１において１は台紙で１０は台紙１の上面に重ね合わせた帳票主体である。帳票主体１０は貼付票２１と配達票２２を有する伝票片２０と、伝票片２０に並設した明細書３０で構成されている。明細書３０は受取人控えとなる請求書・納品書その他商品に応じた種目を印刷したもので、通常は伝票とは別に配送物のケース内に封入されるが、本案では図示のように伝票片２０に並べて印刷される。伝票片２０と明細書３０はほゞ同じ大きさで、明細書３０の端部には帯片３１が連設され、明細書３０の裏面は広告欄となる。
【００１５】  伝票片２０は、平面コ字形（図では逆向き）の囲繞部２３内に位置し、囲繞部２３と伝票片２０の間にはミシン目２４があり囲繞部２３の裏側には台紙１と接着し且つ剥離可能な粘着剤Ｎが塗工されている。そして貼付票２１と配達票２２の間にはミシン目２５が存在し、明細書３０と帯片３１の間にもミシン目２６があり、明細書３０と帯片３１は帳票主体１０の天地部１１との夫々の間にはスリット１２が存在するとともに貼付票２１と明細書３０の間にはスリット１３、配達票２２と明細書３０の間にはミシン目２７が存在し、更に囲繞部２３と明細書側の天地部１１の突き合う個所にもスリット１４が形成され、天地部１１は台紙１との間に接着剤Ｓで一体的に固着されている。配達票２２が貼付票２１の下部にある場合は、図示のようなコーナーカット２２ａを配達票に形成する。
【００１６】  図２（ａ）は台紙１から帳票主体１０を剥がし取った状態を示すもので、前記したように粘着剤Ｎはコ字形囲繞部２３の裏側に塗工されているため粘着剤Ｎと対向する台紙１の表面領域には剥離剤Ｈが塗工されていて帳票主体１０を台紙１から分離できる。そして明細書３０もスリット１２を境に天地部１１から切り離しでき、また伝票片２０の囲繞部２３と天地部１１の突き合わせ個所にもスリット１４が存在するので伝票片２０と明細書３０は台紙１から同時に剥がし取ることができる。なお天地部１１は台紙１と固く接着されているため台紙１上に残る。
【００１７】  台紙１から剥ぎ取った帳票主体１０は、（ｂ）図のようにスリット１３とミシン目２７を境として明細書３０を伝票片２０の裏側に折り込むことができ、このとき端部の帯片３１は、ミシン目２６の個所以外がほゞ粘着剤Ｎに接着し固定される。
【００１８】  図３（ａ）は明細書３０を折り込んだ伝票片１０を配送物４０表面に貼付したもので、伝票片２０は囲繞部２３裏側に設けてある粘着剤Ｎにより配送物４０の表面に固着され、明細書３０も帯片３１が粘着剤Ｎに接着されているため固定される。伝票片２０には送り主、受取人の住所氏名などが印刷されているので運送業者により配送されこの状態で受取人に届けられる。
【００１９】  配送物４０を受取人に届けると、ドライバーは受取人から捺印を貰い、コーナーカット２２ａに指を入れて配達票２２をミシン目２５・２７から切り離して持ち帰る。すると（ｂ）図のように配達票２２の空いた個所には、折り込まれてある明細書３０の裏面にある広告欄３０ａの一部が目視される。
【００２０】  配送物４０を受け取ると、受取人は残りの貼付票２１を剥がすことになるが、既に配達票２２は存在しないため貼付票２１は囲繞部２３のミシン目２４から容易に切り離しでき、また明細書３０側はスリット１３のため取り出しはスムースになされ、それゆえ（ｃ）図のように貼付票２１を除去した個所には明細書３０の広告欄３０ａ全体が現われる。
【００２１】  明細書３０端部の帯片３１は粘着剤Ｎによって配送物４０の表面に固定されているが、ミシン目２６は囲繞部２３から外れた位置にあり、したがって囲繞部２３を抑えて明細書３０の端部（図では右側）を摘むと、図４のようにミシン目２６より明細書３０を引き抜くことができる。
【００２２】  かくして伝票片２０と明細書３０が剥ぎ取られたことにより配送物４０上には帯片３１を残した囲繞部２３だけが存在し、受取人の住所氏名などの情報は全く残らないため第三者に知られるおそれはない。取り出された明細書３０は片面に納品・請求などの事項が印刷されているが、他面は広告欄３０ａとなっているため送り側の広告宣伝文は当然として風景模様やイラストその他多様なメッセージを組み込むことができる。
【００２３】  本考案は配達票２２を除去すると必然貼付票２１も剥ぎ取ることになるが、内部の明細書３０の存在を受取人に確認させるためにも帳票主体１０の適宜個所に明細書３０の存在や取り出し順序などの説明文を設けることは必要である。なおミシン目、スリットなどは一例であってこれらと同様の機能を発揮できるものであれば図示したものに拘束はされず、また貼付票・配達票・明細書などの呼称も他の表現に置き換えることができ、その他本考案の目的効果を奏する範囲における形状等の変更も本考案の自由な実施の範疇に属すること勿論である。
【符号の説明】
【００２４】  １    台紙
１０  帳票主体
１１  天地部
１２〜１４  スリット
２０  伝票片
２１  貼付票
２２  配達票
２３  囲繞部
２４〜２７  ミシン目
３０  明細書
３０ａ広告欄
Ｎ    粘着剤
Ｈ    剥離剤
Ｓ    接着剤
４０  配送物
【図１】
0003152137.tif 000003
【図２】
0003152137.tif 000004
【図３】
0003152137.tif 000005
【図４】
0003152137.tif 000006